(57)【要約】【課題】部材の増加を極力抑え、蓋体のスライド動作時および回転動作時にそれぞれクリック感を生じることができる蓋開閉装置を提供する。【解決手段】カメラ１は、電池蓋２００と、電池蓋２００の後端部近傍を中心に回転可能にかつスライド可能に電池蓋２００を支える支持部１０４と、カメラ本体１０側に配置された本体側当接部１０２とを備える。電池蓋２００は、第１当接部２０１と第２当接部２０２とを有する。本体側当接部１０２は、電池蓋２００が回転移動する途中で第１当接部２０１と当接可能であり、かつ電池蓋２００がスライド移動する途中で第２当接部２０２と当接可能である。【選択図】図７
2006208748.tif 000002
【特許請求の範囲】
【請求項１】
第１当接部と第２当接部とを有し、自装置の一部を開閉する蓋体と、
前記蓋体の後端部近傍を中心に回転可能にかつスライド可能に前記蓋体を支える蓋支持部と、
前記蓋体が回転移動する途中で前記第１当接部と当接可能であり、かつ前記蓋体がスライド移動する途中で前記第２当接部と当接可能であるように、自装置の本体側に配置された本体側当接部とを備え、
前記蓋体は、少なくとも、前記自装置の一部を閉じた姿勢である閉姿勢、前記閉姿勢からスライドされた姿勢のスライド姿勢、および前記スライド姿勢から開方向に移動して前記自装置の一部を開いた姿勢である開姿勢のいずれの姿勢にも移動可能であり、
前記蓋体が前記開姿勢から前記スライド姿勢に移動する途中で、前記第１当接部と前記本体側当接部とが当接し、その当接により前記第１当接部は前記蓋体が開く方向に前記本体側当接部からの反発力を受け、前記蓋体がその反発力に抗してさらに前記スライド姿勢側に移動すると前記本体側当接部からの反発力が減少するか又はなくなり、
前記蓋体が前記スライド姿勢から前記閉姿勢に移動する途中で、前記第２当接部と前記本体側当接部とが当接し、その当接により前記第２当接部は前記スライド姿勢方向に前記本体側当接部からの反発力を受け、前記蓋体がその反発力に抗してさらに閉姿勢側に移動すると前記本体側当接部からの反発力が減少するか又はなくなるよう構成された蓋開閉装置。
【請求項２】
第１当接部と第２当接部とを有し、自装置の一部を開閉する蓋体と、
前記蓋体の後端部近傍を中心に回転可能にかつスライド可能に前記蓋体を支える蓋支持部と、
前記蓋体が回転移動する途中で前記第１当接部と当接可能であり、かつ前記蓋体がスライド移動する途中で前記第２当接部と当接可能であるように、自装置の本体側に配置された本体側当接部とを備え、
前記蓋体は、少なくとも、前記自装置の一部を閉じた姿勢である閉姿勢、前記閉姿勢からスライドされた姿勢のスライド姿勢、および前記スライド姿勢から開方向に移動して前記自装置の一部を開いた姿勢である開姿勢のいずれの姿勢にも移動可能であり、
前記蓋体が前記閉姿勢から前記スライド姿勢に移動する途中で、前記第２当接部と前記本体側当接部とが当接し、その当接により前記第２当接部は前記閉姿勢方向に前記本体側当接部からの反発力を受け、前記蓋体がその反発力に抗してさらにスライド姿勢側に移動すると前記本体側当接部からの反発力が減少するか又はなくなり、
前記蓋体が前記スライド姿勢から前記開姿勢に移動する途中で、前記第１当接部と前記本体側当接部とが当接し、その当接により前記第１当接部は前記蓋体が閉じる方向に前記本体側当接部からの反発力を受け、前記蓋体がその反発力に抗してさらに前記開姿勢側に移動すると前記本体側当接部からの反発力が減少するか又はなくなるよう構成された蓋開閉装置。
【請求項３】
前記本体側当接部は、弾性体を介して前記本体側に配されている、請求項１または２に記載の蓋開閉装置。
【請求項４】
前記蓋体で開閉される前記自装置の一部と前記弾性体とは、同じ樹脂により一体成形されてなる請求項３に記載の蓋開閉装置。
【発明の詳細な説明】
【技術分野】
【０００１】
本発明は、スライド動作可能でありかつ回動動作可能な蓋体を有する蓋開閉装置に関する。
【背景技術】
【０００２】
従来、カメラなどの電池で動作する電子機器において、電池の交換の際に、電池蓋をスライドさせた上で回動して電池収納部の開口部を開けるようなものが知られている。このような蓋開閉装置として、特許文献１に記載された考案がある。
【０００３】
この考案では、電池蓋にばね性突起が設けられている。また、蓋開閉装置の本体に前記ばね性突起と当接可能な係止部が設けられている、この構成により、電池蓋のスライド動作の途中で、ばね性突起と係止部とが当接するため、クリック感を生じることができる。
【特許文献１】実開平６−７８９４０号公報（特に図７参照）
【発明の開示】
【発明が解決しようとする課題】
【０００４】
従来の蓋開閉装置では、スライド動作の際にしかクリック感を生じることがなく、回転動作の際にはクリック感を生じない。しかし、この問題を解決するために、電池蓋の回転動作の際にクリック感を生じさようとして、電池蓋側と本体側にさらにそれぞれ当接部を設けたのでは、部材が多くなり、生産性が悪くなる。
【０００５】
そこで、本発明は、部材を増加を極力抑え、蓋体のスライド動作時および回転動作時にそれぞれクリック感を生じることができる蓋開閉装置を提供することを目的とする。
【課題を解決するための手段】
【０００６】
上記目的を達成するために、自装置の一部を開閉する蓋体と、前記蓋体の後端部近傍を中心に回転可能にかつスライド可能に前記蓋体を支える蓋支持部と、自装置の本体側に配置された本体側当接部とを備える。前記蓋体は、第１当接部と第２当接部とを有する。前記本体側当接部は、前記蓋体が回転移動する途中で前記第１当接部と当接可能であり、かつ前記蓋体がスライド移動する途中で前記第２当接部と当接可能である。前記蓋体は、少なくとも、前記自装置の一部を閉じた姿勢である閉姿勢、前記閉姿勢からスライドされた姿勢のスライド姿勢、および前記スライド姿勢から開方向に移動して前記自装置の一部を開いた姿勢である開姿勢のいずれの姿勢にも移動可能である。
【０００７】
このように、第１当接部と第２当接部とにそれぞれ当接する本体側の当接部を１つの本体側当接部に兼用させることにより、必要な部材を少なくすることができる。
【０００８】
本発明の蓋開閉装置の蓋体を開姿勢から閉姿勢に移行する際には、以下のように動作する。前記蓋体が前記開姿勢から前記スライド姿勢に移動する途中で、前記第１当接部と前記本体側当接部とが当接し、その当接により前記第１当接部は前記蓋体が開く方向に前記本体側当接部からの反発力を受け、前記蓋体がその反発力に抗してさらに前記スライド姿勢側に移動すると前記本体側当接部からの反発力が減少するか又はなくなり、前記蓋体が前記スライド姿勢から前記閉姿勢に移動する途中で、前記第２当接部と前記本体側当接部とが当接し、その当接により前記第２当接部は前記スライド姿勢方向に前記本体側当接部からの反発力を受け、前記蓋体がその反発力に抗してさらに閉姿勢側に移動すると前記本体側当接部からの反発力が減少するか又はなくなる。
【０００９】
このように動作するよう構成することにより、蓋体のスライド動作時および回転動作時にそれぞれクリック感を生じることができる。
【００１０】
また、本発明の蓋開閉装置の蓋体を閉姿勢から開姿勢に移行する際には、以下のように動作する。前記蓋体が前記閉姿勢から前記スライド姿勢に移動する途中で、前記第２当接部と前記本体側当接部とが当接し、その当接により前記第２当接部は前記閉姿勢方向に前記本体側当接部からの反発力を受け、前記蓋体がその反発力に抗してさらにスライド姿勢側に移動すると前記本体側当接部からの反発力が減少するか又はなくなり、前記蓋体が前記スライド姿勢から前記開姿勢に移動する途中で、前記第１当接部と前記本体側当接部とが当接し、その当接により前記第１当接部は前記蓋体が閉じる方向に前記本体側当接部からの反発力を受け、前記蓋体がその反発力に抗してさらに前記開姿勢側に移動すると前記本体側当接部からの反発力が減少するか又はなくなる。
【００１１】
このように動作するよう構成することにより、蓋体を開ける際にも、蓋体のスライド動作時および回転動作時にそれぞれクリック感を生じることができる。
【００１２】
なお、本発明の蓋開閉装置は、蓋体を閉じるときと開くときの両方において、それぞれクリック感を生じさせるようにしてもよく、また、蓋体を閉じるときか、蓋体を開くときのいずれか一方のときのみ蓋体のクリック感を生じさせるように構成してもよい。
【００１３】
また、前記本体側当接部は、弾性体を介して前記本体側に配されるようにしてもよい。また、前記自装置の一部と前記弾性体とは、同じ樹脂により一体成形されてなるようにしてもよい。
【発明の効果】
【００１４】
上述の本発明によれば、部材の増加を極力抑え、蓋体のスライド動作時および回転動作時にそれぞれクリック感を生じることができる蓋開閉装置を提供できる。
【発明を実施するための最良の形態】
【００１５】
（実施の形態）
１  カメラの構成
１−１  カメラの全体構成
図１に、本発明のカメラ１の底面からみた斜視図を示す。カメラ１は、カメラ本体１０と鏡筒３０とから構成される。カメラ本体１０の外装は、フロントケース１１とリアケース１２とを固着することにより形成される。カメラ１の底面には、後述する電池収納部１０１が形成され、その開口部には電池蓋２００が設けられている。
【００１６】
電池蓋２００は、電池収納部１０１の開口部を開閉可能である。図１は開口部を電池蓋２００で閉じた閉姿勢Ｘの状態を示し、図２は開口部を開いた開姿勢Ｚの状態を示す。閉姿勢Ｘから開姿勢Ｚに移行するには、図３に示すように、電池蓋２００を横にずらしたスライド姿勢Ｙを経由する。そして、スライド姿勢Ｙから電池蓋２００を開いて開姿勢Ｚになる。
【００１７】
本発明のカメラ１は、電池蓋２００が閉姿勢Ｘからスライド姿勢Ｙに移行する際、およびスライド姿勢Ｙから開姿勢Ｚに移行する際に、クリック感が生ずるよう構成されている。また、逆に、電池蓋２００が開姿勢Ｚからスライド姿勢Ｙおよびスライド姿勢Ｙから閉姿勢Ｘに移行する際にも、それぞれクリック感が生ずるよう構成されている。ここで、クリック感とは、電池蓋２００をある方向に移動する際に、その方向とは逆の方向に抵抗を生ずること及びその抵抗に起因する使用者の感覚をいう。
【００１８】
１−２  電池収納ユニットの構成
図４は、電池収納ユニット１００の斜視図である。この電池収納ユニット１００をカメラ１の底面に取り付けることにより、電池の収納を可能にしている。電池収納ユニット１００には、電池収納部１０１ａ、ｂが設けられ、電池収納部１０１ａ、ｂの開口側には、本体側当接部１０２、バネ腕部１０３、支持部１０４、ストッパー１０５及び本体側ロック部１０６ａ〜ｆが設けられている
電池収納部１０１ａ、ｂは電池を収納可能である。収納する電池は一次電池でも二次電池でもよい。電池収納部１０１ａ、ｂの底部にはそれぞれ本体側端子１０７ａ、ｂを設ける。
【００１９】
電池収納ユニット１００の開口部側には、後述する電池蓋２００の第１当接部２０１および第２当接部２０２と当接する本体側当接部１０２が設けられている。本体側当接部１０２は、電池蓋２００が回転移動する途中で第１当接部２０１と当接可能であり、かつ電池蓋２００がスライド移動する途中で第２当接部２０２と当接可能である。本体側当接部１０２は、バネ腕部１０３の一端に支持されている。バネ腕部１０３の他端は電池収納ユニット本体に固定されている。バネ腕部１０３は、電池の挿抜方向に弾性変形可能な弾性体である。したがって、本体側当接部１０２は、電池の挿抜方向に変位可能である。なお、バネ腕部１０３は、樹脂で形成してもよく、金属で形成してもよい。但し、バネ腕部１０３および本体側当接部１０２を電池収納ユニット本体と同じ樹脂で形成することもでき、このように形成すれば、これらの部材を一体成形できるので、製造工程を簡略化できる。
【００２０】
支持部１０４は、電池蓋２００を支えるための長穴である。支持部１０４には、電池蓋２００に取り付けられたシャフト２０４を挿入する。支持部１０４が長穴に形成されているため、電池蓋２００はスライド可能に支えられる。
【００２１】
ストッパー１０５は、バネ腕部１０３の両脇に設けられる。ストッパー１０５は、電池蓋２００の後端部と当接可能であり、電池蓋２００の回転移動およびスライド移動を規制するための部材である。より具体的に説明すると、電池蓋２００は、図中矢印の後端側Ａにあるときには、スライド移動が可能であるが回転移動できず、図中矢印の先端側Ｂにあるときには、回転移動が可能であるがスライド移動ができない。
【００２２】
本体側ロック部１０６ａ〜ｆは、電池蓋２００の先端部および側部に設けた蓋側ロック部２０６ａ〜ｆと、それぞれ係合して、電池蓋２００をロックするための係合部材である。本体側ロック部１０６ａ〜ｆは、電池蓋２００がスライド姿勢Ｙから閉姿勢Ｘに移動する際に、蓋側ロック部２０６ａ〜ｆとそれぞれ係合する。
【００２３】
１−３  電池蓋の構成
図５は、電池蓋２００の裏面からみた斜視図である。図６は、電池蓋２００の表面から見た拡大斜視図である。電池蓋２００は、後端部側に第１当接部２０１、第２当接部２０２、およびシャフト２０４を設け、裏面に蓋側端子２０７ａ、ｂを設け、先端部側および側部に蓋側ロック部２０６ａ〜ｆを設ける。
【００２４】
第１当接部２０１は、後端に設けられた突起である。第２当接部２０２は、電池蓋２００の裏面の後端側に設けられた突起である。すなわち、第２当接部２０２は、電池蓋２００の裏面に設け、その位置は、シャフト２０４の近傍に設定する。第１当接部２０１および第２当接部２０２の突起の形状は、断面が略三角形の形状である。この形状は、本体側当接部１０２と当接する部分の断面が略三角形状であればよく、全体として、三角形状でなくても構わない。例えば、図１０に示すように、全体としては、台形形状等であっても構わない。また、突起の形状は、尖っていてもよいし、丸まっていたり、少し平らな部分があっても構わない。また、突起の斜面は、後述するクリック感を調整するために、適宜調整可能である。また、後端から第２当接部２０２の突起の頂点までの距離は、本体側当接部１０２の位置やクリック感等を考慮して、適当な距離になるよう設計する。第１当接部２０１を後端のどの部分に設けるかも適宜調整可能である。図１０に示すように、後端面の中央付近に設けてもよいし、裏面よりに設けてもよく、表面よりに設けてもよい。第１当接部２０１の取り付け位置を変えることにより、開姿勢Ｚでの電池蓋２００のカメラ本体１０に対する角度を調整できる。
【００２５】
シャフト２０４は、金属棒であり、電池蓋２００の後端側に圧入されている。シャフト２０４の両端は、電池蓋２００の側部から突出している。
【００２６】
蓋側ロック部２０６ａは、電池蓋２００の先端に設ける。また、蓋ロック部２０６ｂ〜ｆは、電池蓋２００の側部に設ける。蓋ロック部２０６ａ〜ｆは、本体側ロック部１０６ａ〜ｆとそれぞれ係合する係合部材である。
【００２７】
蓋側端子２０７ａ、ｂは、電池の端子と電気的および機械的に接触する端子である。
【００２８】
１−４  本実施の形態と本発明との対応
電池蓋２００は本発明の蓋体の一例である。カメラ１は本発明の蓋開閉装置の一例である。電池収納部１０１の開口部は、本発明の自装置の一部の一例である。支持部１０４は、本発明の蓋支持部の一例である。バネ腕部１０３は本発明の弾性体の一例である。
【００２９】
２  電池蓋の開閉動作
以上のように構成されたカメラ１について、電池蓋２００の開閉動作を説明する。
【００３０】
２−１  開姿勢Ｚから閉姿勢Ｘへの動作
まず、図２に示す開姿勢Ｚから図１に示す閉姿勢Ｘに移行するときの動作を説明する。
【００３１】
２−１−１  開姿勢Ｚからスライド姿勢Ｙへの動作
図７は、開姿勢Ｚにおけるシャフト２０４近傍の拡大断面図である。シャフト２０４は、図中矢印のＢ方向に位置する。そのため、図４に示すストッパー１０５に規制されて、電池蓋２００は回転移動可能であるが、スライド移動はできないようになっている。しかし、電池蓋２００は、表面がカメラ本体１０の一部に当たっているため、これ以上開く方向には回転しない。このため、電池蓋２００は、開く方向には回転しないが閉じる方向には回転可能に規制されている。
【００３２】
また、電池蓋２００の後端に設けられた第１当接部２０１とカメラ本体１０に設けられた本体側当接部１０２とが当接し、本体側当接部１０２は、バネ腕部１０３の付勢力により、第１当接部２０１を電池蓋２００が開く方向（図中矢印ＣＣ方向）に付勢している。これは、第１当接部２０１の本体側当接部１０２と当接する面が斜めに形成されているからである。この当接面の角度を調整することにより、第１当接部２０１が本体側当接部１０２から受ける反発力の大きさを調整することができる。
【００３３】
この状態からユーザーが操作して電池蓋２００を閉じる方向（図中矢印ＣＷ方向）に移動させると、第１当接部２０１は、本体側当接部１０２から受ける反発力に抗して、矢印ＣＷ方向に回転する。
【００３４】
そして、ユーザーがその反発力に抗してさらに電池蓋２００をスライド姿勢Ｙ側（図中矢印ＣＷ方向）に回転させると、第１当接部２０１の頂点が本体側当接部１０２の頂点を乗り越えて、図８に示す状態となる。この状態では、第１当接部２０１が本体側当接部１０２から受ける反発力（電池蓋２００が開く方向の力）はなくなる。これによって、ユーザーは、電池蓋２００からクリック感を感じる。
【００３５】
図８に示す状態から図９に示す状態までの間は、第１当接部２０１は、本体側当接部１０２から電池蓋２００が閉じる方向（図中矢印ＣＷ方向）に付勢される。これは、第１当接部２０１の本体側当接部１０２と当接する面が斜めに形成されているからである。この当接面の角度を調整することにより、第１当接部２０１が本体側当接部１０２から受ける付勢力の大きさを調整することができる。
【００３６】
この後、ユーザーがさらに電池蓋２００を回転させると、図３に示すスライド姿勢Ｙになる。
【００３７】
２−１−２  スライド姿勢Ｙから閉姿勢Ｘへの移動
図１０〜１３は、スライド姿勢Ｙから閉姿勢Ｘに至る際のシャフト２０４近傍の拡大断面図である。図１０は、スライド姿勢Ｙにおける断面図であり、図１３は閉姿勢Ｘにおける断面図であり、図１１、１２は、スライド姿勢Ｙと閉姿勢Ｘとの間の状態の断面図である。
【００３８】
図１０に示すように、電池蓋２００がスライド姿勢Ｙにある状態において、ユーザーが電池蓋２００を後端方向（図中矢印Ａ方向）にスライド移動させると、図１１に示すように、シャフト２０４は、支持部１０４の中を後端方向（図中矢印Ａ方向）にスライド移動する。
【００３９】
図１０に示す状態では、第２当接部２０２は、本体側当接部１０２と当接しないが、図１１に示す状態になると、これらが当接し始める。第２当接部２０２が本体当接部１０２と当接し始めると、第２当接部２０２は、本体側当接部１０２を押し下げ、バネ腕部１０３の付勢力により、電池蓋２００がスライド姿勢Ｙになる方向（図中矢印Ｂ方向）に反発力を受ける。これは、第２当接部２０２の本体側当接部１０２と当接する面が斜めに形成されているからである。この当接面の角度を調整することにより、第２当接部２０２が本体側当接部１０２から受ける反発力の大きさを調整することができる。
【００４０】
この状態からユーザーが操作して電池蓋２００が閉姿勢Ｘになる方向（図中矢印Ａ方向）に移動させると、第２当接部２０２は、本体側当接部１０２から受ける反発力に抗して、矢印Ａ方向にスライド移動する。
【００４１】
そして、ユーザーがその反発力に抗してさらに電池蓋２００を閉姿勢Ｘ側（図中矢印Ａ方向）にスライド移動させると、第２当接部２０２の頂点が本体側当接部１０２の頂点を乗り越えて、図１２に示す状態となる。この状態では、第２当接部２０２が本体側当接部１０２から受ける反発力（電池蓋２００がスライド姿勢Ｙになる方向の力）はなくなる。これによって、ユーザーは、電池蓋２００からクリック感を感じる。
【００４２】
図１２に示す状態を越えると、第２当接部２０２は、本体側当接部１０２から電池蓋２００が閉姿勢Ｘになる方向（図中矢印Ａ方向）に付勢される。これは、第２当接部２０１の本体側当接部１０２と当接する面が斜めに形成されているからである。この当接面の角度を調整することにより、第２当接部２０２が本体側当接部１０２から受ける付勢力の大きさを調整することができる。
【００４３】
このようにして、電池蓋２００は、スライド姿勢Ｙから閉姿勢Ｘに移動する。
【００４４】
なお、図１１〜１３に示すようにシャフト２０４が先端側に位置しない状態では、電池蓋２００は、ストッパー１０５と電池蓋２００の裏面とが当接可能であり、これにより、スライド移動はできるが回転移動はできないように規制される。
【００４５】
また、電池蓋２００が図３に示す開姿勢Ｚやスライド姿勢Ｙにある場合には、本体側ロック部１０６ａ〜ｆと蓋ロック部２０６ａ〜ｆとは係合しないが、スライド姿勢Ｙからから図１に示す閉姿勢Ｘに移動する際には、本体側ロック部１０６ａ〜ｆと蓋ロック部２０６ａ〜ｆとはそれぞれ係合し合うようになる。これにより、電池蓋２００を、回転方向に対して、より確実にカメラ本体１０に固定することができる。
【００４６】
２−２  閉姿勢Ｘから開姿勢Ｚへの動作
図１に示す閉姿勢Ｘから図２に示す開姿勢Ｚへの動作は、上述した開姿勢Ｚから閉姿勢Ｘへの動作の逆の動作である。
【００４７】
すなわち、電池蓋２００が閉姿勢Ｘからスライド姿勢Ｙに移動する途中で、第２当接部２０２と本体側当接部１０２とが当接し、その当接により第２当接部２０２は閉姿勢Ｘ方向に本体側当接部１０２からの反発力を受け、電池蓋２００がその反発力に抗してさらにスライド姿勢Ｙ側に移動すると本体側当接部１０２からの反発力がなくなる。これにより、電池蓋２００が閉姿勢Ｘからスライド姿勢Ｙに移動する途中で、ユーザーはクリック感を感じる。
【００４８】
また、電池蓋２００がスライド姿勢Ｙから開姿勢Ｚに移動する途中で、第１当接部２０１と本体側当接部１０２とが当接し、その当接により第１当接部２０１は電池蓋２００が閉じる方向に本体側当接部１０２からの反発力を受け、電池蓋２００がその反発力に抗してさらに開姿勢Ｚ側に移動すると本体側当接部１０２からの反発力がなくなる。これにより、ユーザーは、電池蓋２００がスライド姿勢Ｙから開姿勢Ｚに移動する途中で、クリック感を感じる。
【００４９】
３  まとめ
以上のように、本発明のカメラ１は、電池を収納する電池収納部１０１と、電池収納部１０１の開口部を開閉する電池蓋２００と、電池蓋２００の後端部近傍を中心に回転可能にかつスライド可能に電池蓋２００を支える支持部１０４と、カメラ本体１０側に配置された本体側当接部１０２とを備える。電池蓋２００は、第１当接部２０１と第２当接部２０２とを有する。本体側当接部１０２は、電池蓋２００が回転移動する途中で第１当接部２０１と当接可能であり、かつ電池蓋２００がスライド移動する途中で第２当接部２０２と当接可能である。さらに、電池蓋２００は、少なくとも、電池収納部１０１の開口部を閉じた姿勢である閉姿勢Ｘ、閉姿勢Ｘからスライドされた姿勢のスライド姿勢Ｙ、およびスライド姿勢Ｙから開方向に移動して電池収納部１０１の開口部を開いた姿勢である開姿勢Ｚのいずれの姿勢にも移動可能である。
【００５０】
このような本発明のカメラ１は、電池蓋２００が開姿勢Ｚから閉姿勢Ｘに至るのに際して、次の動作をする。すなわち、電池蓋２００が開姿勢Ｚからスライド姿勢Ｙに移動する途中で、第１当接部２０１と本体側当接部１０２とが当接し、その当接により第１当接部２０１は電池蓋２００が開く方向に本体側当接部１０２からの反発力を受け、電池蓋２００がその反発力に抗してさらにスライド姿勢Ｙ側に移動すると本体側当接部１０２からの反発力がなくなる。また、電池蓋２００がスライド姿勢Ｙから閉姿勢Ｘに移動する途中で、第２当接部２０２と本体側当接部１０２とが当接し、その当接により第２当接部２０２はスライド姿勢Ｙ方向に本体側当接部１０２からの反発力を受け、電池蓋２００がその反発力に抗してさらに閉姿勢Ｘ側に移動すると本体側当接部１０２からの反発力がなくなる。この構成により、本発明のカメラ１は、カメラ本体１０に本体側当接部１０２を一箇所設けるだけで、すなわち少ない部材で、電池蓋２００を閉じる動作において、完全に開いた状態から少し閉じる際と完全に閉じる際に、ユーザーがクリック感を２度感じることができる。
【００５１】
また、本発明のカメラ１は、電池蓋２００が閉姿勢Ｘから開姿勢Ｚに至るのに際しても、次の動作によりクリック感を出すことができる。電池蓋２００が閉姿勢Ｘからスライド姿勢Ｙに移動する途中で、第２当接部２０２と本体側当接部１０２とが当接し、その当接により第２当接部２０２は閉姿勢Ｘ方向に本体側当接部１０２からの反発力を受け、電池蓋２００がその反発力に抗してさらにスライド姿勢Ｙ側に移動すると本体側当接部１０２からの反発力がなくなる。また、電池蓋２００がスライド姿勢Ｙから開姿勢Ｚに移動する途中で、第１当接部２０１と本体側当接部１０２とが当接し、その当接により第１当接部２０２は電池蓋２００が閉じる方向に本体側当接部１０２からの反発力を受け、電池蓋２００がその反発力に抗してさらに開姿勢Ｚ側に移動すると本体側当接部１０２からの反発力がなくなる。この構成により、本発明のカメラ１は、カメラ本体１０に本体側当接部１０２を一箇所設けるだけで、すなわち少ない部材で、電池蓋２００を開く動作において、完全に閉じた状態から少しスライドさせる際と完全に開く際に、ユーザーがクリック感を２度感じることができる。
【００５２】
また、本体側当接部１０２は、バネ腕部１０３を介してカメラ本体１０側に配してもよい。このようにすることにより、本体側当接部１０２の移動量を大きく確保でき、ほぼ一定の力で付勢するため、安定したクリック感を生じさせることができる。
【００５３】
また、電池収納部１０１とバネ腕部１０３とは、同じ樹脂により一体成形してもよい。このようにすることにより、バネ腕部１０３、本体側当接部１０２および電池収納ユニット本体を一体成形できるので、製造工程を簡略化できる。
【００５４】
なお、本実施の形態では、電池収納装置として、カメラ１を例示したが、これには限らず、本発明は、電池を収納できる装置に適用可能である。例えば、ポータブルオーディオプレーヤーや携帯電話端末等に適用可能である。
【００５５】
また、本実施の形態では、鏡筒３０は、カメラ本体１０から突出するものとしたが、これには限らず、カメラ本体１０に内蔵されるものでもよい。
【００５６】
また、本実施の形態では、電池収納ユニット１００をまず構成し、これをカメラ本体１０に固定するようにしたが、これに限らず、例えば、カメラ本体１０に直接電池収納部１０１や本体側当接部１０２、バネ腕部１０３を設けるようにしてもよい。
電池蓋に端子を設けなくてもよい。
【００５７】
また、本実施の形態では、シャフト２０４を電池蓋２００本体に圧入するとしたが、これに限らず、例えば、電池蓋２００本体とシャフト２０４を樹脂により一体成形してもよい。このように構成することにより、シャフト２０４の圧入工程を省けるので、電池蓋２００の製造工程を簡略化できる。
【００５８】
また、本実施の形態では、第１当接部２０１または第２当接部２０２が本体側当接部１０２を乗り越えたとき、それまで第１当接部２０１または第２当接部２０２が本体側当接部１０２から受けていた反発力が完全になくなるとしたが、これに限らず、この反発力が小さくなるようにしてもよい。この場合にも、クリック感を生じることは可能である。したがって、このような場合にも、本発明を適用可能である。
【００５９】
また、本実施の形態では、電池収納部１０１は、２つ設けたが、この数に限らない。例えば、１本の場合でもよく、３本の場合でもよい。
【００６０】
また、本実施の形態では、電池収納部１０１をカメラ１の底面に設ける構成としたが、これに限らず、側面等に設けるようにしてもよい。
【００６１】
また、本実施の形態では、電池収納部１０１へは電池を縦にして装着する構成としたが、これに限らず、電池を横にして装着するようにしてもよい。
【００６２】
また、本実施の形態では、電池の型を単３型または単４型としたが、これに限らず、箱型のものでもよく、カスタマイズされたものでもよい。
【００６３】
また、本実施の形態では、電池蓋２００に蓋側端子２０７を設ける構成としたが、この端子を設けなくてもよい。
【００６４】
また、本実施の形態では、電池蓋２００を開姿勢Ｚから閉姿勢Ｘに移行するときも閉姿勢Ｘから開姿勢Ｚに移行するときも両方とも電池蓋２００にクリック感を生じさせる構成としたが、どちらか一方のときのみにクリック感を生じさせるようにしてもよい。
【００６５】
また、本実施の形態では、電池蓋２００を開姿勢Ｚから閉姿勢Ｘに移行するとき、および閉姿勢Ｘから開姿勢Ｚに移行するときに、それぞれ２回づつクリック感を生じさせるようにしたが、この数には限らない。例えば、それぞれ３回づつクリック感を生じさせてもよく、一方を３回他方を０回にしても構わない。言うまでもなく、４回以上でもよい。
【００６６】
また、本実施の形態では、電池収納部１０１の開口部を開閉する電池蓋２００について説明したが、これに限らない。例えば、メモリーカードスロット部を開閉する蓋体やレンズを開閉する蓋体、操作類がある部分を開閉する蓋体等にも本発明は適用できる。要するに、自装置の一部を開閉する蓋体に本発明は適用可能である。
【産業上の利用可能性】
【００６７】
本発明は、蓋体がスライド動作時と回転動作時にクリック感を生じさせるものであるため、蓋体がスライド動作可能でかつ回転動作可能な蓋開閉装置に適用可能であり、カメラやポータブルオーディオプレーヤー、携帯電話端末等に適用可能である。
【図面の簡単な説明】
【００６８】
【図１】本発明にかかるカメラにおいて、電池蓋が閉姿勢Ｘのときの底面から見た斜視図
【図２】本発明にかかるカメラにおいて、電池蓋が開姿勢Ｚのときの底面から見た斜視図
【図３】本発明にかかるカメラにおいて、電池蓋がスライド姿勢Ｙから開姿勢Ｚに至るときの底面から見た拡大斜視図
【図４】本発明にかかるカメラにおける電池収納ユニットの斜視図
【図５】本発明にかかるカメラにおける電池蓋の裏面から見た斜視図
【図６】本発明にかかるカメラにおける電池蓋の表面から見た拡大斜視図
【図７】本発明にかかるカメラにおいて、電池蓋が開姿勢Ｚのときのシャフト近傍の拡大断面図
【図８】本発明にかかるカメラにおいて、電池蓋が開姿勢Ｚとスライド姿勢Ｙの間の姿勢のときのシャフト近傍の拡大断面図
【図９】本発明にかかるカメラにおいて、電池蓋がスライド姿勢Ｙのときのシャフト近傍の拡大断面図
【図１０】本発明にかかるカメラにおいて、電池蓋がスライド姿勢Ｙのときのシャフト近傍の拡大断面図
【図１１】本発明にかかるカメラにおいて、電池蓋がスライド姿勢Ｙと閉姿勢Ｘの間の姿勢のときのシャフト近傍の拡大断面図
【図１２】本発明にかかるカメラにおいて、電池蓋がスライド姿勢Ｙと閉姿勢Ｘの間の姿勢のときのシャフト近傍の拡大断面図
【図１３】本発明にかかるカメラにおいて、電池蓋が閉姿勢Ｘのときのシャフト近傍の拡大断面図
【符号の説明】
【００６９】
１    カメラ
１０    カメラ本体
１００    電池収納ユニット
１０１ａ、ｂ    電池収納部
１０２    本体側当接部
１０３    バネ腕部
１０４    支持部
１０５    ストッパー
１０６ａ〜ｆ    本体側ロック部
２００    電池蓋
２０１    第１当接部
２０２    第２当接部
２０４    シャフト
２０６ａ〜ｆ    蓋側ロック部
【図１】
2006208748.tif 000003
【図２】
2006208748.tif 000004
【図３】
2006208748.tif 000005
【図４】
2006208748.tif 000006
【図５】
2006208748.tif 000007
【図６】
2006208748.tif 000008
【図７】
2006208748.tif 000009
【図８】
2006208748.tif 000010
【図９】
2006208748.tif 000011
【図１０】
2006208748.tif 000012
【図１１】
2006208748.tif 000013
【図１２】
2006208748.tif 000014
【図１３】
2006208748.tif 000015